(57)【特許請求の範囲】
【請求項１】
前面枠の下方に下部パネルを設け、該下部パネルに灰皿装置を取り付けた遊技機において、
前記灰皿装置は、
前記下部パネルに取り付けたベース部と、
該ベース部に、前方に突出した状態で取り付けた支持腕部と、
該支持腕部により左右両側から挟まれた状態で支持され、灰収納部側を上方に向けた第１状態と、前記灰収納部側を下方に向けた第２状態とに回動する灰皿本体と、から構成し、
該灰皿本体は、
左右両側方に突設し、前記第１状態において後方に向けて下り傾斜した板形状に形成した軸部と、
重心位置を設定するため当該灰皿本体の第１状態における底部に設けられた重り部材と、を備え、
前記支持腕部は、
その先端側に前記軸部を支持する軸受け部を形成し、
該軸受け部は、
後方に向けて下り傾斜した溝であって、前記軸部の厚みより僅かに大きく、前記軸部の幅より狭く形成され、前記灰皿本体が前記第１状態にて前記軸部が回動不能に係合される係合部と、
該係合部の上端部分に連続して設けられ、前記軸部の幅より僅かに大きい直径を有した略円形状の窪みであって、前記軸部を回動自在に保持可能な回動保持部と、
該回動保持部の内壁面に、前記軸部の回動範囲を、前記灰皿本体が前記第１状態となる回動位置から前記第２状態となる回動位置までの範囲内に規制するために窪みの中心方向に向け突設した２つの回動範囲規制部と、を備え、
前記２つの回動範囲規制部のうち、一方の回動範囲規制部は、前記灰皿本体の前記第２状態にて前記軸部に当接する位置に設けられ、他方の回動範囲規制部は、前記係合部の溝の内面と連続するとともに、前記係合部の溝の延在方向と前記軸部の幅方向が等しくなった状態で当該軸部に当接する位置に設けられ、
前記灰皿本体を前記第１状態から前記第２状態に変換する場合、当該灰皿本体を前方斜め上方向に引き上げ、前記軸部が前記係合部から離脱させ前記回動保持部において手前側に回動させて前記軸部が前記一方の回動範囲規制部に当接し、
前記第１状態に復帰する場合、前記重り部材の付与する回動復帰力により当該灰皿本体が復帰回動し、前記軸部が前記他方の回動範囲規制部に当接することで当該軸部の回動が停止され、前記灰皿本体の自重により前記軸部が前記係合部の溝に進入して係合することで前記第１状態に復帰することを特徴とする遊技機。
【発明の詳細な説明】
【０００１】
【発明の属する技術分野】
本発明は、前面側に灰皿装置を設けた遊技機に関する。
【０００２】
【従来の技術】
従来より、パチンコ遊技機やパチスロ遊技機等に代表される遊技機の前面側には、灰皿装置が設けられている。この灰皿装置は、凹状の灰収納部を備え、該灰収納部の開口部側を上方に向けた状態と下方に向けた状態とに回動変換可能に構成されている。例えば、灰皿として使用する場合には、灰収納部の開口部側を上方に向けた状態で維持し、一方、灰収納部に溜まった灰や吸い殻を回収する場合には、灰収納部の開口部側を手前側に傾倒させて下方に向けた状態に回動変換して灰や吸い殻を下方に落とし、これをバケツ等で回収する。そして、回収し終えたら、灰収納部の開口部側を上方に向けた状態に戻して、灰皿として使用できる状態に復帰させる。
【０００３】
【発明が解決しようとする課題】
上記のように、従来の遊技機では、灰皿装置を手動でひっくり返して灰や吸い殻を回収した後に、灰収納部の開口部側を上方に向けた状態（灰皿として使用できる状態）に戻さなければならないといった煩わしさがあった。また、灰皿装置を元の状態に戻すには僅かながらも時間を要し、それが吸い殻回収の作業効率を低下させる要因ともなっていた。
一般に、遊技店には多くの遊技機が設置されているので、それら遊技機１台１台の吸い殻を回収するには結果として非常に手間と時間がかかっていた。そこで、このような問題点を解決するものとして、例えば、吸い殻を自動的に回収するシステムが知られているが、このような回収システムを導入するには多大な費用がかかり、そのため、多くの遊技店では店員が灰皿装置を手動でひっくり返して吸い殻を回収するという方法が採られている。
【０００４】
この発明は、上記実情に鑑みなされたもので、吸い殻回収の作業効率を向上させることができる遊技機を提供することを目的とする。
【０００５】
【課題を解決するための手段】
上記課題を解決するため、
請求項１記載の発明は、前面枠の下方に下部パネルを設け、該下部パネルに灰皿装置を取り付けた遊技機において、
前記灰皿装置は、
前記下部パネルに取り付けたベース部と、
該ベース部に、前方に突出した状態で取り付けた支持腕部と、
該支持腕部により左右両側から挟まれた状態で支持され、灰収納部側を上方に向けた第１状態と、前記灰収納部側を下方に向けた第２状態とに回動する灰皿本体と、から構成し、
該灰皿本体は、
左右両側方に突設し、前記第１状態において後方に向けて下り傾斜した板形状に形成した軸部と、
重心位置を設定するため当該灰皿本体の第１状態における底部に設けられた重り部材と、を備え、
前記支持腕部は、
その先端側に前記軸部を支持する軸受け部を形成し、
該軸受け部は、
後方に向けて下り傾斜した溝であって、前記軸部の厚みより僅かに大きく、前記軸部の幅より狭く形成され、前記灰皿本体が前記第１状態にて前記軸部が回動不能に係合される係合部と、
該係合部の上端部分に連続して設けられ、前記軸部の幅より僅かに大きい直径を有した略円形状の窪みであって、前記軸部を回動自在に保持可能な回動保持部と、
該回動保持部の内壁面に、前記軸部の回動範囲を、前記灰皿本体が前記第１状態となる回動位置から前記第２状態となる回動位置までの範囲内に規制するために窪みの中心方向に向け突設した２つの回動範囲規制部と、を備え、
前記２つの回動範囲規制部のうち、一方の回動範囲規制部は、前記灰皿本体の前記第２状態にて前記軸部に当接する位置に設けられ、他方の回動範囲規制部は、前記係合部の溝の内面と連続するとともに、前記係合部の溝の延在方向と前記軸部の幅方向が等しくなった状態で当該軸部に当接する位置に設けられ、
前記灰皿本体を前記第１状態から前記第２状態に変換する場合、当該灰皿本体を前方斜め上方向に引き上げ、前記軸部が前記係合部から離脱させ前記回動保持部において手前側に回動させて前記軸部が前記一方の回動範囲規制部に当接し、
前記第１状態に復帰する場合、前記重り部材の付与する回動復帰力により当該灰皿本体が復帰回動し、前記軸部が前記他方の回動範囲規制部に当接することで当該軸部の回動が停止され、前記灰皿本体の自重により前記軸部が前記係合部の溝に進入して係合することで前記第１状態に復帰する構成とした。
【０００７】
ここで、遊技機には、パチンコ遊技機、アレンジボール遊技機、雀球遊技機、等の弾球遊技機や、スロットマシン、パチスロなどが含まれる。
【００１８】
具体的に、重り部材としては、例えば、比重の高い金属などが挙げられるが、灰皿本体の重心位置を調整可能なものであれば、如何なる材質（液体を含む）のものであってもよい。
【００１９】
【発明の実施の形態】
以下、この発明の実施の形態について、図面を参照しながら説明する。
図１は、本発明に係る遊技機の一形態として例示するパチンコ遊技機を示す正面図である。
【００２０】
この実施の形態のパチンコ遊技機１００は、図１に示すように、遊技機本体１００Ａを備えると共に、該遊技機本体１００Ａの側方に、プリペイドカードを挿入する挿入口２０１を有するカード式球貸機２００を備えて構成されている。
【００２１】
遊技機本体１００Ａは、本体枠１０と、該本体枠１０の一側方に回動可能に軸支された額縁状の前面枠１１とを備えている。
前面枠１１の前側上半部には、ガラス板１５を収納したガラス収納枠１６が左端を軸心として回動可能に軸支され、ガラス板１５の背部には、遊技領域１ａを構成する遊技盤１が設置されている。
この遊技盤１のガイドレール２で囲まれた遊技領域１ａには、普図始動ゲート６，６、特別図柄（特図）表示装置４、普通図柄（普図）表示装置７、普図変動表示遊技の結果如何によって開閉部材９ａ，９ａを開閉させる特図始動口を兼ねた普通変動入賞装置９、特図変動表示遊技の結果如何によって大入賞口を閉じた状態から開放状態に変換するサイクル遊技を行う特別変動入賞装置５、一般入賞口８，…、サイドランプ１２，１２、風車と呼ばれる打球方向変換部材１４，１４、多数の障害釘（図示省略）などが配設されている。遊技領域１ａの最下端部中央にはアウト球を回収するためのアウト穴１３が設けられている。
【００２２】
前面枠１１のガラス収納枠１６下方には、上皿１７を有する上皿ユニット１７Ａが左端を軸心として回動可能に軸支され、上皿ユニット１７Ａの下方にはパネル部材２０が取り付けられている。パネル部材２０の中央部には、上皿１７に収容しきれない球を収容する下皿１８が設けられ、下皿１８の右側には遊技領域１ａに向けて遊技球の発射操作を行うための操作ハンドル１９が、一方、下皿１８の左側には本発明に係る灰皿装置３０が、それぞれ備えられている。
【００２３】
図２は灰皿装置の構成を示す分解斜視図、図３は灰皿装置の動作を説明する断面図である。また、図４は図３の矢印Ａ−Ａ線に沿った断面図、図５は灰皿装置に備わる軸部の動作を説明する図である。
【００２４】
灰皿装置３０は、図２に示すように、凹状の灰収納部４１を有する略半球状の灰皿本体４０と、該灰皿本体４０を第１状態と第２状態とに可逆的に回動変換可能な状態で支持する支持部５０Ａと、を備えて構成されている。ここで、第１状態とは、灰収納部４１の開口部４１Ａ側を上方に向けた状態であり、詳細には、図３（ａ）に示すように、灰収納部４１の開口部４１Ａ側を真上方向より遊技者側に僅かに傾けた状態である。この第１状態は、灰皿として使用する際に維持される状態である。一方、第２状態とは、灰収納部４１の開口部４１Ａ側を手前側に傾倒させて下方に向けた状態であり、詳細には、図３（ｂ）に示すように、灰収納部４１の開口部４１Ａ側を真下方向より遊技者側に僅かに傾けた状態である。この第２状態は、灰収納部４１に溜まった灰や吸い殻を回収する際に変換される状態である。
【００２５】
灰皿本体４０は、図３及び図４に示すように、灰収納部４１を構成する皿部材４０Ａと、該皿部材４０Ａを収納して灰皿本体４０の外壁面を構成する皿取付部材４０Ｂとを結合してなる。両部材は何れも耐熱性樹脂（例えば、メラミンフェノール樹脂等）により成形されている。
灰皿本体４０の両側部には、図２〜図４に示すように、それぞれ側方に向けて軸部４２，４２が突設されている。この軸部４２は、図２に示すように、その軸線と垂直な方向に扁平させた板形状に形成され、その扁平方向を向く側壁面４２Ｂは後方に向けて下り傾斜している。そして、その傾斜下端部により、軸受け部６１の係合部６２（後述）と係合離脱自在な被係合部４２Ａが構成されている。灰皿本体４０の後部には、図３に示すように、ベース部５０の係合凸部５２（後述）と係合可能な係合凹部４３が設けられている。また、灰収納部４１の周縁前端部分には、図２に示すように、火のついたタバコを一時的に置くためのタバコ載置部４４が設けられている。
また、灰皿本体４０の底部には、図３に示すように、皿部材４０Ａと皿取付部材４０Ｂの間に介在する状態で、重り部材４５が設置されている。この重り部材４５は灰皿本体４０の重心位置を調整するためのもので、この重り部材４５が設置された状態において、灰皿本体４０の重心位置は、自重により第２状態から第１状態に回動復帰し得る位置に設定されるようになっている。つまり、灰皿本体４０には、第１状態への回動復帰力が常時与えられていて、第１状態にあるときには、外部から前記回動復帰力と逆向きの回動力を付与することによって第１状態から第２状態に変換される一方、第２状態にあるときには、前記回動復帰力によって自動的に第２状態から第１状態に回動復帰するようになっている。
【００２６】
支持部５０Ａは、図２に示すように、パネル部材２０の前面左側に取り付けられたベース部５０と、該ベース部５０の前面側より前方に向けて立設された一対の支持腕部６０，６０と、により構成されている。
【００２７】
ベース部５０は、耐熱性樹脂により正面視で略円形状に成形され、その前面略中央に、灰皿本体４０の後端部を収容し得る形状の窪み部５１を備えている。窪み部５１の上下方向の中間位置には、灰皿本体４０の係合凹部４３（図３）と係合可能であり該係合状態にて灰皿本体４０の回動を阻止し灰皿本体４０の姿勢を安定させる係合凸部５２が設けられている。
また、窪み部５１の左右両側方には、支持腕部６０を取り付けるための取付凹部５３が設けられ、該取付凹部５３の奥の起立面には、止着部材７０を通すための貫通穴５３ａ，…が形成されている。
また、ベース部５０の裏面側には、その周縁部に沿って、後方に向かって延出する位置決め壁部５４が形成されている。また、ベース部５０の裏面側には、該ベース部５０をパネル部材２０に取り付けるための取付支柱（図示省略）が突設されている。一方、パネル部材２０の前面左側には、上記位置決め壁部５４を嵌入可能な灰皿取付用凹部２１が設けられ、該灰皿取付用凹部２１の奥の起立面には、止着部材７０を通すための貫通穴２２，…が形成されている。
【００２８】
支持腕部６０は、図２に示すように、耐熱性樹脂により略半円柱状に形成され、その基端側が取付凹部５３に嵌入された状態でベース部５０に取り付けられている。各支持腕部６０の先端側には、互いに対向配置される状態で、灰皿本体４０の軸部４２を支持するための軸受け部６１がそれぞれ設けられている。
軸受け部６１は、軸部４２を回動自在に保持可能な回動保持部６３と、該回動保持部６３と連続した状態に設けられ、軸部４２を回動不能に固定可能な係合部６２とにより構成されている。
係合部６２は、支持腕部６０がベース部５０に取り付けられた状態において、灰皿本体４０側に開口部を有する前上がりの溝であって、その溝幅は、軸部４２の厚みより僅かに大きく、軸部４２の幅より狭く設定されている。このため、係合部６２では、軸部４２は、図５（ａ）に示すように、溝に沿って平行移動することはできるが、回動することはできない。
一方、回動保持部６３は、上記溝の上端部分に連続した状態で設けられた略円形状の窪みであって、軸部４２の幅より僅かに大きい直径を有している。このため、回動保持部６３では、軸部４２は回動することができる。また、窪みの内壁面には、軸部４２の回動範囲を、図５（ｂ）に示すように、軸部４２の被係合部４２Ａが係合部６２に係合離脱自在となる回動位置（灰皿本体４０が第１状態となる回動位置）から、図５（ｃ）に示すように、軸部４２の被係合部４２Ａの他端４２Ｃが係合部６２に出会う手前の回動位置（灰皿本体４０が第２状態となる回動位置）までの範囲に規制する一対の凸部６４，６４（回動範囲規制部）が、窪みの中心方向に向けて突設されている。
【００２９】
即ち、軸部４２は、灰皿本体４０が第１状態時の回動位置にあるときに、その被係合部４２Ａが係合部６２と係合離脱自在な状態となり、該係合状態（図５（ａ）の状態）にて回動不能に固定される。一方、被係合部４２Ａが係合部６２から離脱した状態（図５（ｂ）の状態）では、一対の凸部６４，６４により規定される範囲内（灰皿本体４０が第１状態となる回動位置から第２状態となる回動位置までの範囲内）で、回動可能に保持される。
なお、この実施の形態では、回動保持部６３の下側に係合部６２を設ける構成としたので、例えば、灰皿本体４０が第１状態時の回動位置にあって、軸部４２が図５（ｂ）の状態にある場合には、灰皿本体４０の自重により、軸部４２が自動的に係合部６２へと進入する。その結果、被係合部４２Ａが係合部６２と係合し、軸部４２が回動不能に固定される。一方、軸部４２が図５（ａ）の状態にある場合には、灰皿本体４０を前方斜め上方向に引き上げることによって、軸部４２が係合部６２から離脱し、軸部４２が回動可能な状態に復帰する。
【００３０】
このように構成される灰皿装置３０をパネル部材２０に取り付けるには、図２に示すように、先ず、灰皿本体４０の各軸部４２に各支持腕部６０の軸受け部６１を嵌合させ、一対の支持腕部６０，６０により灰皿本体４０を左右両側から挟んだ状態とする。そして、各支持腕部６０に対して灰皿本体４０が回動しないように、各軸部４２の被係合部４２Ａと各軸受け部６１の係合部６２とをそれぞれ係合させる。次いで、この状態を維持しながら、各支持腕部６０の基端部をベース部５０の取付凹部５３に嵌入させると共に、係合凹部４３と係合凸部５２とを係合させる状態で灰皿本体４０の後端部をベース部５０の窪み部５１に嵌入させ、支持腕部６０、灰皿本体４０、ベース部５０を一体化した状態とする。次いで、この一体化した状態を維持しながら、ベース部５０の位置決め壁部５４をパネル部材２０の灰皿取付用凹部２１に嵌入し、続いて、パネル部材２０の裏面側から、パネル部材２０の貫通穴２２、取付凹部５３の貫通穴５３ａ、支持腕部６０の取付穴（図示省略）の順に止着部材７０を通すと共に、パネル部材２０の貫通穴２２、ベース部５０の裏面側にある取付支柱の取付穴（図示省略）の順に止着部材７０を通すことによって、支持腕部６０とベース部５０をパネル部材２０に止着する。これにより、灰皿装置３０がパネル部材２０に取り付けられる。一方、灰皿装置３０をパネル部材２０から取り外す場合には、パネル部材２０の裏面側から各止着部材７０を取り外し、パネル部材２０の前面側より、灰皿装置３０を一体化した状態のまま取り外す。
【００３１】
次に、上記灰皿装置３０の動作について説明する。
【００３２】
常時（灰皿として使用するとき）は、灰皿本体４０が第１状態にて回動不能に固定された状態で維持されている。即ち、係合凹部４３が係合凸部５２に係合する状態で灰皿本体４０の後端部がベース部５０の窪み部５１に嵌入すると共に、軸部４２の被係合部４２Ａが軸受け部６１の係合部６２と係合することによって、灰皿本体４０が第１状態にて回動不能に固定された状態となっている。
この状態から第２状態に変換する場合には、先ず、灰皿本体４０を前方斜め上方向に引き上げて、図５（ａ）に示すように、軸部４２の被係合部４２Ａを軸受け部６１の係合部６２から離脱させると共に、灰皿本体４０の後端部をベース部５０の窪み部５１から離間させる。これにより、軸部４２が、図５（ｂ）に示すように、一対の凸部６４，６４により規定される範囲内（灰皿本体４０が第１状態となる回動位置から第２状態となる回動位置までの範囲内）で、回動可能に保持される状態に変換される。続いて、前述した回動復帰力と逆向きの回動力を付与することによって、灰皿本体４０を手前側に傾倒させる。これにより、灰皿本体４０が第２状態に変換され、この状態において、灰収納部４１に溜まった灰や吸い殻を下方に落として回収することができる。
この状態から第１状態に復帰させる場合には、灰皿本体４０から手を離して、灰皿本体４０を解放する（上記回動力の付与を解除する）。すると、灰皿本体４０には第１状態への回動復帰力が常時与えられている（つまり、第１状態に回動復帰し得る位置に灰皿本体４０の重心位置が設定されている）ので、その回動復帰力によって自動的に第２状態から第１状態に回動復帰する。このとき、回動保持部６３内では、軸部４２が所要量回動した後、凸部６４，６４に当接し、該当接位置で軸部４２の回動が停止される。その後、灰皿本体４０の自重により、軸部４２が自動的に係合部６２に進入し、軸部４２の被係合部４２Ａが係合部６２と係合する。これにより、灰皿本体４０が第１状態で回動不能に固定された状態に復帰する。
つまり、灰皿本体４０が第２状態時の回動位置にある場合には、灰皿本体４０から手を離すだけで、自動的に灰皿本体４０が第１状態に復帰し、該第１状態で回動不能に固定される。
【００３３】
従って、この実施の形態のパチンコ遊技機１００によれば、灰収納部４１に溜まった灰や吸い殻の回収に際して、灰皿本体４０を第２状態に変換させた場合に、灰皿本体４０を第２状態から第１状態に戻す手間を省くことができ、吸い殻回収の作業効率を向上させることができる。
【００３４】
また、回動復帰力を付与し得る位置に灰皿本体４０の重心位置を設定したので、灰皿本体４０に回動復帰力を与えるための装置を別途設ける必要がない。従って、灰皿装置３０の部品点数を少なくすることができ、灰皿装置３０の製造コストを低減することができる。
【００３５】
また、第１状態から第２状態に至るまでの範囲に灰皿本体４０の回動範囲が規制されるので、灰収納部４１に溜まった灰や吸い殻の回収に際して、灰皿本体４０が必要以上に回動して灰や吸い殻が外部に飛び散ることを防止できる。従って、飛散した灰などで灰皿装置３０周辺が汚れたり、飛散した灰が遊技者の衣類に付着したりすることを防止でき、それが原因で遊技者に不快感を与えることを防止できる。
【００３６】
また、灰皿本体４０が第１状態時の回動位置にあるときに、灰皿本体４０の自重により、軸部４２の被係合部４２Ａと軸受け部６１の係合部６２とが係合して、灰皿本体４０が回動不能に固定される構成としたので、当該灰皿装置３０を灰皿として使用しているときに、灰皿本体４０を安定した状態に保つことができ、使用中に誤って灰皿本体４０が回動することを防止できる。
【００３７】
なお、本発明はこの実施の形態のパチンコ遊技機に限られるものではなく、例えば、その他のパチンコ遊技機、アレンジボール遊技機、雀球遊技機などの弾球遊技機、或いはパチスロ遊技機、スロットマシン等にも適用可能である。また、この実施の形態では、支持腕部６０とベース部５０を別部材として構成したが、例えば、支持部５０Ａを一つの部材で一体に構成することも可能である。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３８】
【発明の効果】
請求項１記載の発明によれば、灰収納部に溜まった灰や吸い殻の回収に際して、灰皿本体を第２状態に変換させた場合に、灰皿本体を第２状態から第１状態に戻す手間を省くことができ、吸い殻回収の作業効率を向上させることができる。
また、回動復帰力を付与し得る位置に灰皿本体の重心位置を設定したので、灰皿本体に回動復帰力を与えるための装置を別途設ける必要がない。従って、灰皿装置の部品点数を少なくすることができ、灰皿装置の製造コストを低減することができる。
また、第１状態から第２状態に至るまでの範囲に灰皿本体の回動範囲が規制されるので、灰収納部に溜まった灰や吸い殻の回収に際して、灰皿本体が必要以上に回動して灰や吸い殻が外部に飛び散ることを防止できる。従って、飛散した灰などで灰皿装置周辺が汚れたり、飛散した灰が遊技者の衣類に付着したりすることを防止でき、それが原因で遊技者に不快感を与えることを防止できる。
また、灰皿本体が第１状態時の回動位置にあるときに、灰皿本体の自重により、軸部の被係合部と軸受け部の係合部とが係合して、灰皿本体が回動不能に固定される構成としたので、当該灰皿装置を灰皿として使用しているときに、灰皿本体を安定した状態に保つことができ、使用中に誤って灰皿本体が回動することを防止できる。
【図面の簡単な説明】
【図１】本発明に係る遊技機の一形態として例示するパチンコ遊技機を示す正面図である。
【図２】図１のパチンコ遊技機に備わる灰皿装置の構成を示す分解斜視図である。
【図３】図２の灰皿装置の動作を説明する断面図であり、（ａ）は第１状態、（ｂ）は第２状態を示している。
【図４】図３の矢印Ａ−Ａ線に沿った断面図である。
【図５】図２の灰皿装置に備わる軸部の動作を説明する図である。
【符号の説明】
２０    パネル部材
３０    灰皿装置
４０    灰皿本体
４１    灰収納部
４１Ａ  開口部
４２    軸部
４２Ａ  被係合部
４５    重り部材
５０    ベース部
５０Ａ  支持部
６０    支持腕部
６１    軸受け部
６２    係合部
６３    回動保持部
６４    凸部（回動範囲規制部）
１００  パチンコ遊技機（遊技機）
【図１】
0004187396.tif 000002
【図２】
0004187396.tif 000003
【図３】
0004187396.tif 000004
【図４】
0004187396.tif 000005
【図５】
0004187396.tif 000006